(57)【特許請求の範囲】
【請求項１】
短距離通信に専用の第１の時間間隔中に第１の通信リソースを使用することと、
長距離通信に専用の第２の時間間隔中に第２の通信リソースを使用することであって、前記第１および第２の時間間隔が重複しない時間間隔である、使用することと
を備え、
前記第１および第２の通信リソースが持続時間において異なる、通信方法。
【請求項２】
前記第１の通信リソースが第１のトーンシンボルであり、前記第２の通信リソースが第２のトーンシンボルである、請求項１に記載の通信方法。
【請求項３】
前記第１のトーンシンボルが、前記第２のトーンシンボルの第２のシンボル時間よりも短い第１のシンボル時間を有する、請求項２に記載の通信方法。
【請求項４】
前記第１および第２の通信リソースが、それぞれ第１および第２のトーンシンボルであり、
周波数における前記第１および第２のトーンシンボルの幅が異なる
請求項１に記載の通信方法。
【請求項５】
前記第１のトーンシンボルが、周波数において前記第２のトーンシンボルよりも広い、請求項４に記載の通信方法。
【請求項６】
第１の通信リソースを使用することが、前記第１の通信リソース上で信号を送信することと受信することとのうちの少なくとも１つを含み、
第２の通信リソースを使用することが、前記第２の通信リソース上で信号を送信することと受信することとのうちの少なくとも１つを含む
請求項１に記載の方法。
【請求項７】
短距離通信に専用の第１の時間間隔中に第１の通信リソースを使用するための手段と、
長距離通信に専用の第２の時間間隔中に第２の通信リソースを使用するための手段であって、前記第１および第２の時間間隔が重複しない時間間隔である、使用するための手段と
を備え、
前記第１および第２の通信リソースが持続時間において異なる、通信デバイス。
【請求項８】
前記第１の通信リソースが第１のトーンシンボルであり、前記第２の通信リソースが第２のトーンシンボルである、請求項７に記載の通信デバイス。
【請求項９】
前記第１のトーンシンボルが、前記第２のトーンシンボルの第２のシンボル時間よりも短い第１のシンボル時間を有する、請求項８に記載の通信デバイス。
【請求項１０】
前記第１および第２の通信リソースが、それぞれ第１および第２のトーンシンボルであり、
周波数における前記第１および第２のトーンシンボルの幅が異なる
請求項７に記載の通信デバイス。
【請求項１１】
前記第１のトーンシンボルが、周波数において前記第２のトーンシンボルよりも広い、請求項１０に記載の通信デバイス。
【請求項１２】
第１の通信リソースを使用するための前記手段が、前記第１の通信リソース上で信号を送信するための手段と、前記第１の通信リソース上で信号を受信するための手段とのうちの少なくとも１つを含み、
第２の通信リソースを使用するための前記手段が、前記第２の通信リソース上で信号を送信するための手段と、前記第２の通信リソース上で信号を受信するための手段とのうちの少なくとも１つを含む
請求項７に記載の通信デバイス。
【請求項１３】
通信デバイスにおいて使用するためのコードを記憶したコンピュータ読み取り可能な記録媒体であって、
少なくとも１つのコンピュータに、短距離通信に専用の第１の時間間隔中に第１の通信リソースを使用させるためのコードと、
前記少なくとも１つのコンピュータに、長距離通信に専用の第２の時間間隔中に第２の通信リソースを使用させるためのコードであって、前記第１および第２の時間間隔が重複しない時間間隔である、使用させるためのコードと
を備え、
前記第１および第２の通信リソースが持続時間において異なる、コンピュータ読み取り可能な記録媒体。
【請求項１４】
少なくとも１つのプロセッサであって、
短距離通信に専用の第１の時間間隔中に第１の通信リソースを使用することと、
長距離通信に専用の第２の時間間隔中に第２の通信リソースを使用することであって、前記第１および第２の時間間隔が重複しない時間間隔である、使用することと
を行うように構成された少なくとも１つのプロセッサと、
ここにおいて、前記第１および第２の通信リソースが持続時間において異なり、
前記少なくとも１つのプロセッサに結合されたメモリと
を備える通信デバイス。
【請求項１５】
前記第１の通信リソースが第１のトーンシンボルであり、前記第２の通信リソースが第２のトーンシンボルである、請求項１４に記載の通信デバイス。
【請求項１６】
前記第１のトーンシンボルが、前記第２のトーンシンボルの第２のシンボル時間よりも短い第１のシンボル時間を有する、請求項１５に記載の通信デバイス。
【請求項１７】
前記第１および第２の通信リソースが、それぞれ第１および第２のトーンシンボルであり、
周波数における前記第１および第２のトーンシンボルの幅が異なる
請求項１４に記載の通信デバイス。
【発明の詳細な説明】
【技術分野】
【０００１】
様々な実施形態は、ワイヤレス通信に関し、より詳細には、ワイヤレスネットワークにおいて異なる物理的距離にわたる通信を実行するために使用され得る方法および装置に関する。
【背景技術】
【０００２】
多数の従来のセルラーワイヤレス通信ネットワークでは、複数のワイヤレスリンクを介した送信電力は、集中方式で制御される。たとえば、基地局または中央コントローラデバイスは、通信システムにおいてネットワーク接続点として基地局を使用している複数のモバイルに対応する通信を調整し得る。基地局および／または中央コントローラは、限られたエアリンクリソースを求めて競合する複数のモバイルに対応するリソース割振りと通信とを管理する、たとえば、アクセスを許可または拒否する、エアリンクリソースをモバイルに割り当てる、モバイル位置を追跡する、通信チャネルを測定する、送信電力レベルを制御する、データレートを制御する、および／または干渉を管理する。基地局および／または集中制御デバイスは、モバイル送信の管理および制御の一部として閉ループ電力およびタイミング制御動作を実行することができ、概してこれを行う。基地局および／または集中コントローラは、セル中の状況の全体がよく見渡せるので、モバイルと基地局との間の複数の異なるリンクに対応する通信を効果的に管理することができる。たとえば、基地局は、基地局における受信電力が長距離信号と短距離信号の両方の信号回復のために許容範囲内になるように、基地局から離れて異なる距離に位置するモバイルからのアップリンク送信を電力制御することができる。
【０００３】
ワイヤレス通信の分野では、従来のセルラーネットワークに加えて、様々なタイプのネットワークがスペクトルを使用することを可能にする傾向があった。普及および利用の進む１つのそのようなネットワークは、ピアツーピアネットワーク、たとえば、集中制御のないピアツーピアネットワークである。ピアツーピアネットワークが広範囲の距離にわたる信頼できる通信をサポートすることが可能であることが望ましい。集中制御および／または管理のないピアツーピアネットワークでは、１つのデバイスからの送信信号が他のデバイスに問題を引き起こすことがある。特に、長距離リンク用の送信機のごく近くに位置する、短距離リンクに対応する受信機は、同時に発生していることがある長距離リンクの信号のために飽和および／または非感知状態になり、たとえば、該当する信号を検出する能力が低下するという欠点があり得る。得られた許容できないレベルの干渉は、短距離リンク上で通信されている、該当する情報の回復を防げることがある。
【０００４】
上記の説明に基づいて、ピアツーピアワイヤレスネットワークにおいて異なる距離にわたる通信をサポートすることができる新しい方法および装置が必要である。
【発明の概要】
【０００５】
ワイヤレス通信システムにおいて異なる距離にわたる通信をサポートするための方法および装置について説明する。様々な方法および装置は、ピアツーピアネットワーク、たとえば、集中制御のないアドホックピアツーピアネットワークに好適である。
【０００６】
ワイヤレスピアツーピアネットワークでは、異なるピアが、異なる距離にわたって通信することを望むことがある。様々な実施形態による方法および装置は、受信機デバイス中で飽和および／または非感知状態が生じるのを回避するのに有利である。必ずしもすべてではないが、１つの例示的なピアツーピアネットワークでは、信号のタイプのうちの少なくともいくつか、たとえば、ピア発見信号および／またはページング信号は、閉ループ電力制御なしで送信される。いくつかの実施形態で使用される例示的なピアツーピアタイミング構造は、リソースが、時間的に重複しない複数のブロックにセグメント化される、特定のタイプのシグナリングのために割り振られるエアリンクリソースを含む。通信リソースの複数のブロックのうちの異なるブロックは、異なる距離、たとえば、短距離通信、中距離通信、または長距離通信に関連付けられる。いくつかの実施形態では、距離に基づく複数のブロックの基本伝送単位の特性が異なる。たとえば、短距離ピア発見リソースブロックの基本伝送単位は、長距離ピア発見リソースブロックの基本伝送単位に比較して、より広いトーンとより狭いシンボル送信時間間隔とを有し得る。
【０００７】
いくつかの実施形態では、いくつかのタイプの信号、たとえば、ピア発見信号および／またはピアページング信号の場合、ワイヤレス通信デバイスは、意図された送信距離に応じて異なる基本伝送単位特性をもつ異なるリソースを使用するが、他のタイプの信号、たとえば、ピアツーピアトラフィックチャネル信号の場合、ワイヤレス通信デバイスは、距離にかかわらず同じ基本伝送単位特性をもつリソース、たとえば、ピアツーピアトラフィックセグメントを使用する。いくつかのそのような実施形態では、ピアツーピアトラフィックチャネル信号の送信電力レベルは、分散干渉管理方式に応じて制御される。
【０００８】
いくつかの実施形態による、例示的な通信方法は、短距離通信に専用の第１の時間間隔中に第１の通信リソースを使用することと、長距離通信に専用の第２の時間間隔中に第２の通信リソースを使用することとを備え、第１および第２の時間間隔は、重複しない時間間隔である。いくつかの実施形態による、例示的な通信デバイスは、短距離通信に専用の第１の時間間隔中に第１の通信リソースを使用することと、長距離通信に専用の第２の時間間隔中に第２の通信リソースを使用することとを行うように構成された少なくとも１つのプロセッサを備え、第１および第２の時間間隔は、重複しない時間間隔である。例示的な通信デバイスは、前記少なくとも１つのプロセッサに結合されたメモリをさらに含む。
【０００９】
上記の概要で様々な実施形態について論じたが、必ずしも、すべての実施形態が同じ特徴を含むわけではなく、上述の特徴のいくつかは、いくつかの実施形態では、必要ではないが、望ましいことを諒解されたい。多数の追加の特徴、実施形態および様々な実施形態の利益について、以下の詳細な説明において論じる。
【図面の簡単な説明】
【００１０】
【図１】例示的な実施形態による、例示的なワイヤレス通信システムの図。
【図２】いくつかの例示的な実施形態による、通信方法を実装する例示的な方法のフローチャート。
【図３】例示的な実施形態による、例示的な通信デバイスの図。
【図４】図３に示す通信デバイス中で使用され得、いくつかの実施形態では、その通信デバイス中で使用されるモジュールのアセンブリの図。
【図５】例示的な実施形態による、例示的なシグナリングおよびエアリソース使用を示す図。
【図６】様々な実施形態において使用される例示的なピアツーピア循環タイミング構造を示す図。
【図７】いくつかの実施形態で使用される例示的な循環ピアツーピアタイミング構造の一部分を示す、周波数対時間プロットの図。
【図８】例示的な実施形態による、ワイヤレス通信デバイスを動作させる例示的な方法のフローチャートの図。
【図８Ａ】例示的な実施形態による、ワイヤレス通信デバイスを動作させる例示的な方法のフローチャートの第１の部分の図。
【図８Ｂ】例示的な実施形態による、ワイヤレス通信デバイスを動作させる例示的な方法のフローチャートの第２の部分の図。
【図８Ｃ】例示的な実施形態による、ワイヤレス通信デバイスを動作させる例示的な方法のフローチャートの第３の部分の図。
【図８Ｄ】例示的な実施形態による、ワイヤレス通信デバイスを動作させる例示的な方法のフローチャートの第４の部分の図。
【図９】例示的な実施形態による、例示的な通信デバイスの図。
【図１０】図９に示す通信デバイス中で使用され得、いくつかの実施形態では、その通信デバイス中で使用されるモジュールのアセンブリの図。
【図１０Ａ】図９に示す通信デバイス中で使用され得、いくつかの実施形態では、その通信デバイス中で使用されるモジュールのアセンブリの第１の部分の図。
【図１０Ｂ】図９に示す通信デバイス中で使用され得、いくつかの実施形態では、その通信デバイス中で使用されるモジュールのアセンブリの第２の部分の図。
【図１０Ｃ】図９に示す通信デバイス中で使用され得、いくつかの実施形態では、その通信デバイス中で使用されるモジュールのアセンブリの第３の部分の図。
【図１０Ｄ】図９に示す通信デバイス中で使用され得、いくつかの実施形態では、その通信デバイス中で使用されるモジュールのアセンブリの第４の部分の図。
【発明を実施するための形態】
【００１１】
図１は、例示的な実施形態による、例示的なワイヤレス通信システム１００、たとえば、ピアツーピアワイヤレスシステムの図である。例示的なワイヤレス通信システム１００は、複数のワイヤレス通信デバイス（ワイヤレス通信デバイス１  １０２、ワイヤレス通信デバイス２  １０４、ワイヤレス通信デバイス３  １０６、ワイヤレス通信デバイス４  １０８、ワイヤレス通信デバイス５  １１０、ワイヤレス通信デバイス６  １１２、ワイヤレス通信デバイス７  １１４、ワイヤレス通信デバイス８  １１６、ワイヤレス通信デバイス９  １１８、．．．、ワイヤレス通信デバイスＮ  １２０）を含む。ワイヤレス通信デバイス（１１０、１１２）、たとえば、アクセスポイントは、バックホールネットワーク１２２を介して他のネットワークノードおよび／またはインターネットに結合される。ワイヤレス通信デバイス（１０２、１０４、１０６、１０８、１１４、１１６、１１８、１２０）のうちの少なくともいくつかは、ネットワーク全体にわたって移動し得るモバイルノード、たとえば、バッテリー電源式ハンドヘルドモバイルワイヤレスデバイスである。
【００１２】
ワイヤレス通信システム１００は、システム１００において異なる距離にわたる通信をサポートする。いくつかの実施形態では、ワイヤレスピアツーピアシステムは、短距離通信のために割り振られるいくつかのリソースと、長距離通信のために割り振られるいくつかのリソースとを含む、ピアツーピアタイミング構造を実装する。たとえば、１つの例示的な循環ピアツーピアタイミング構造は、短距離ピア発見信号を搬送するのに専用のエアリンクリソースの第１のブロックと、長距離ピア発見信号を搬送するのに専用のエアリンクリソースの第２のブロックとを含む。いくつかの実施形態では、短距離ピア発見セグメントは長距離ピア発見セグメントとは異なる。いくつかの実施形態では、短距離ピア発見基本エアリンクリソースユニット、たとえば、直交周波数分割多重（ＯＦＤＭ）トーンシンボルは、長距離ピア発見基本エアリンクリソースユニットとは異なる。
【００１３】
別の例として、１つの例示的な循環ピアツーピアタイミング構造は、短距離ピアページング信号を搬送するのに専用のエアリンクリソースの第１のブロックと、長距離ピアページング信号を搬送するのに専用のエアリンクリソースの第２のブロックとを含む。いくつかの実施形態では、短距離ページングセグメントは長距離ピア発見セグメントとは異なる。いくつかの実施形態では、短距離ページング基本エアリンクリソースユニット、たとえば、ＯＦＤＭトーンシンボルは、長距離ページング基本エアリンクリソースユニットとは異なる。
【００１４】
図２は、いくつかの例示的な実施形態による、通信方法を実装する例示的な方法のフローチャート２００である。図２のフローチャート２００の方法を実装する通信デバイスは、たとえば、図１のシステム１００の通信デバイスのうちの１つである。ステップ２０２において、動作が開始し、通信デバイスが電源投入され、初期化され、ステップ２０４に進む。ステップ２０４において、通信デバイスは、短距離通信に専用の第１の時間間隔中に第１の通信リソースを使用する。動作はステップ２０４からステップ２０６に進む。ステップ２０６において、通信デバイスは、長距離通信に専用の第２の時間間隔中に第２の通信リソースを使用し、第１および第２の間隔は重複しない時間間隔である。
【００１５】
いくつかの実施形態では、第１および第２の通信リソースは、それぞれトーンシンボルの第１および第２のセットであり、トーンシンボルは、１つのシンボル送信時間間隔に対する１つのトーンのエアリンクリソースである。
【００１６】
いくつかの実施形態では、第１および第２の通信リソースは、持続時間において異なる。いくつかのそのような実施形態では、第１の通信リソースは第１のトーンシンボルであり、第２の通信リソースは第２のトーンシンボルである。１つのそのような実施形態では、第１のトーンシンボルは、第２のトーンシンボルの第２のシンボル時間よりも短い第１のシンボル時間を有する。
【００１７】
様々な実施形態では、第１および第２の通信リソースは、それぞれ第１および第２のトーンシンボルであり、周波数における第１および第２のトーンシンボルの幅は異なる。いくつかの実施形態では、第１のトーンシンボルは、周波数において第２のトーンシンボルよりも広い。いくつかのそのような実施形態では、周波数における第１のトーンシンボル幅を周波数における第２のトーンシンボル幅で除算すると、２の整数倍となる。これはハードウェア実装形態を可能にする。
【００１８】
いくつかの実施形態では、第１および第２の時間間隔はピア発見時間間隔である。いくつかの他の実施形態では、第１および第２の時間間隔はページング間隔である。
【００１９】
いくつかの実施形態では、第１の通信リソースを使用することは、第１の通信リソース上で信号を送信することと、第１の通信リソース上で信号を信号を受信することとのうちの少なくとも１つを含み、第２の通信リソースを使用することは、第２の通信リソース上で信号を送信することと、第２の通信リソース上で信号を受信することとのうちの少なくとも１つを含む。
【００２０】
いくつかの実施形態では、動作はステップ２０６から随意のステップ２０８に進む。ステップ２０８において、通信デバイスは、第３の信号を送信するために、短距離通信に専用の第３の時間間隔中に第３の通信リソースを使用する。ステップ２０８を含むいくつかの実施形態では、第１の通信リソースを使用することは、第１の通信リソース上で信号を受信することを含み、第２の通信リソースを使用することは、第２の通信リソース上で信号を受信することを含む。いくつかのそのような実施形態では、通信デバイスは、短距離専用リソース上と長距離専用リソース上の両方での受信をサポートし、短距離専用リソース上での送信をサポートする。いくつかのそのような実施形態では、通信デバイスは、短距離専用リソース上と長距離専用リソース上の両方での受信をサポートし、短距離専用リソース上または長距離専用リソース上のいずれかでの送信をサポートする。
【００２１】
図３は、例示的な実施形態による、例示的な通信デバイス３００の図である。例示的な通信デバイス３００は、たとえば、図１のワイヤレス通信デバイスのうちの１つである。例示的な通信デバイス３００は、図２のフローチャート２００による方法を実装し得、時々実装する。
【００２２】
通信デバイス３００は、バス３０９を介して互いに結合されたプロセッサ３０２とメモリ３０４とを含み、そのバスを介して、様々な要素（３０２、３０４）がデータおよび情報を交換し得る。通信デバイス３００は、さらに、図示のようにプロセッサ３０２に結合され得る入力モジュール３０６と出力モジュール３０８とを含む。ただし、いくつかの実施形態では、入力モジュール３０６と出力モジュール３０８とはプロセッサ３０２の内部に配置される。入力モジュール３０６は入力信号を受信することができる。入力モジュール３０６は、入力を受信するためのワイヤレス受信機および／またはワイヤードもしくは光入力インターフェースを含み得、いくつかの実施形態では、それらを含む。出力モジュール３０８は、出力を送信するためのワイヤレス送信機および／またはワイヤードもしくは光出力インターフェースを含み得、いくつかの実施形態では、それらを含む。
【００２３】
プロセッサ３０２は、短距離通信に専用の第１の時間間隔中に第１の通信リソースを使用することと、長距離通信に専用の第２の時間間隔中に第２の通信リソースを使用することとを行うように構成され、第１および第２の時間間隔は重複しない時間間隔である。いくつかの実施形態では、第１および第２の通信リソースは、それぞれトーンシンボルの第１および第２のセットである。いくつかの実施形態では、第１および第２の時間間隔はピア発見時間間隔である。いくつかの実施形態では、第１および第２の時間間隔はページング間隔である。第１および第２の通信リソースは、少なくともいくつかの実施形態では、持続時間において異なる。
【００２４】
様々な実施形態では、第１の通信リソースは第１のトーンシンボルであり、前記第２の通信リソースは第２のトーンシンボルである。いくつかのそのような実施形態では、第１のトーンシンボルは、第２のトーンシンボルの第２のシンボル時間よりも短い第１のシンボル時間を有する。
【００２５】
いくつかの実施形態では、第１および第２の通信リソースは、それぞれ第１および第２のトーンシンボルであり、周波数における第１および第２のトーンシンボルの幅は異なる。いくつかのそのような実施形態では、第１のトーンシンボルは、周波数において第２のトーンシンボルよりも広い。いくつかのそのような実施形態では、周波数における第１のトーンシンボル幅を周波数における第２のトーンシンボル幅で除算すると、２の整数倍となる。
【００２６】
プロセッサ３０２は、第１の通信リソースを使用するように構成されることの一部として、第１の通信リソース上で信号を送信することと、第１の通信リソース上で信号を受信することとのうちの少なくとも１つを実行するように構成され、プロセッサ３０２は、また、第２の通信リソースを使用するように構成されることの一部として、第２の通信リソース上で信号を送信することと、第２の通信リソース上で信号を受信することとのうちの少なくとも１つを実行するように構成される。いくつかの実施形態では、プロセッサ３０２は、第１の通信リソースを使用するように構成されることの一部として、第１の通信リソース上で第１の信号を受信することと、第２の通信リソースを使用するように構成されることの一部として、第２の通信リソース上で第２の信号を受信することとを行うように構成される。いくつかのそのような実施形態では、プロセッサ３０２は、第３の信号を送信するために、短距離通信に専用の第３の時間間隔中に第３の通信リソースを使用するようにさらに構成される。
【００２７】
図４は、図３に示す通信デバイス３００中で使用され得、いくつかの実施形態では、通信デバイス３００中で使用されるモジュールのアセンブリ４００の図である。アセンブリ４００中のモジュールは、たとえば、個別回路として、図３のプロセッサ３０２内のハードウェアで実装され得る。代替的に、それらのモジュールは、ソフトウェアで実装され、図３に示す通信デバイス３００のメモリ３０４に記憶され得る。単一のプロセッサ、たとえば、コンピュータとして図３の実施形態に示しているが、プロセッサ３０２は、１つまたは複数のプロセッサ、たとえば、コンピュータとして実装され得ることを諒解されたい。ソフトウェアで実装されるとき、それらのモジュールはコードを含み、そのコードは、プロセッサによって実行されたとき、プロセッサ３０２、たとえば、コンピュータを、そのモジュールに対応する機能を実装するように構成する。いくつかの実施形態では、プロセッサ３０２は、モジュールのアセンブリ４００のモジュールの各々を実装するように構成される。モジュールのアセンブリ４００がメモリ３０４に記憶される実施形態では、メモリ３０４は、コンピュータ可読媒体を備えるコンピュータプログラム製品であり、コンピュータ可読媒体は、少なくとも１つのコンピュータ、たとえば、プロセッサ３０２に、モジュールが対応する機能を実装させるためのコード、たとえば、モジュールごとの個別コードを備える。
【００２８】
完全にハードウェアベースのまたは完全にソフトウェアベースのモジュールが使用され得る。ただし、機能を実装するために、（たとえば、回路実装型の）ソフトウェアモジュールとハードウェアモジュールとの任意の組合せが使用され得ることを諒解されたい。図４に示すモジュールは、通信デバイス３００またはプロセッサ３０２などのそのデバイス中の要素を、図２のフローチャート２００の方法に示す対応するステップの機能を実行するように制御および／または構成することを諒解されたい。
【００２９】
モジュールのアセンブリ４００は、短距離通信に専用の第１の時間間隔中に第１の通信リソースを使用するためのモジュール４０４と、長距離通信に専用の第２の時間間隔中に第２の通信リソースを使用するためのモジュール４０６とを含み、第１および第２の時間間隔は重複しない時間間隔である。
【００３０】
モジュール４０４は、第１の通信リソース上で信号を受信するためのモジュール４１０と、第１の通信リソース上で信号を送信するためのモジュール４１２とのうちの少なくとも１つを含む。モジュール４０６は、第２の通信リソース上で信号を受信するためのモジュール４１４と、第２の通信リソース上で信号を送信するためのモジュール４１６とのうちの少なくとも１つを含む。
【００３１】
いくつかの実施形態では、第１および第２の通信リソースは、それぞれトーンシンボルの第１および第２のセットである。第１および第２の通信リソースは、いくつかの実施形態では、持続時間において異なる。いくつかの実施形態では、第１および第２の時間間隔はピア発見時間間隔である。様々な実施形態では、第１および第２の時間間隔はページング間隔である。
【００３２】
いくつかの実施形態では、第１の通信リソースは第１のトーンシンボルであり、第２の通信リソースは第２のトーンシンボルである。いくつかのそのような実施形態では、第１のトーンシンボルは、第２のトーンシンボルのシンボル時間よりも短い第１のシンボル時間を有する。
【００３３】
第１および第２の通信リソースがそれぞれ第１および第２のトーンシンボルであるいくつかの実施形態では、周波数における第１および第２のトーンシンボルの幅は異なる。いくつかのそのような実施形態では、第１のトーンシンボルは、周波数において第２のトーンシンボルよりも広い。いくつかのそのような実施形態では、周波数における第１のトーンシンボル幅を周波数における第２のトーンシンボル幅で除算すると、２の整数倍となる。
【００３４】
いくつかの実施形態では、モジュールのアセンブリ４００は、第３の信号を受信するために、短距離通信に専用の第３の時間間隔中に第３の通信リソースを使用するためのモジュールを含む。いくつかの実施形態では、通信デバイスは、短距離受信と長距離受信の両方と、短距離送信とをサポートする。たとえば、通信デバイスは、短距離受信をサポートするモジュール４１０を含むモジュール４０４と、長距離受信をサポートするモジュール４１４を含むモジュール４０６と、短距離送信をサポートするモジュール４０８とを含む。
【００３５】
図５は、例示的な実施形態による、例示的なシグナリングおよびエアリソース使用を示す図５００である。図５００は、複数のワイヤレス通信デバイス（ワイヤレス通信デバイスＡ５０２、ワイヤレス通信デバイスＢ５０４、ワイヤレス通信デバイスＣ５０６、ワイヤレス通信デバイスＤ５０８）を含む。ワイヤレス通信デバイスＡ５０２は、その信号が、比較的近距離に位置するワイヤレス通信デバイスＢ５０４によって受信され、うまく復号されることを望む。ワイヤレス通信デバイスＣ５０６は、その信号が、比較的長距離に位置するワイヤレス通信デバイスＤ５０８によって受信され、うまく復号されることを望む。通信すべき信号は、たとえば、ピア発見信号およびページング信号のうちの１つである。
【００３６】
図５は、例示的な周波数対時間プロットを示す図５５０をも含む。垂直軸５５２は周波数を表し、水平軸５５４は時間を表す。通信デバイス（５０２、５０４、５０６、５０８）は、時間的に重複しない短距離リソースブロック５５６と長距離リソースブロック５５８とを含むピアツーピア循環タイミング構造を実装していると考える。例示的な短距離リソースブロック５５６は１２個の短距離送信セグメントを含み、長距離送信ブロック５５８は１２個の長距離送信セグメントを含む。各送信セグメントは所定の数のＯＦＤＭトーンシンボルを含むが、短距離送信セグメントのトーンシンボルは長距離送信セグメントのトーンシンボルとは異なると考える。
【００３７】
たとえば、短距離リソースブロック５５６の例示的な短距離送信セグメント５６０は、８つの連続する第１のサイズのトーンシンボルを含み、例示的な長距離送信セグメント５６２は、８つの連続する第２のサイズのトーンシンボルを含むと考える。さらに、第１のサイズトーンシンボルは、第２のサイズのトーンシンボルの周波数幅の２倍である周波数幅を有し、第２のサイズトーンシンボルは、第１のサイズのトーンシンボルのシンボル送信時間間隔の２倍であるシンボル送信時間間隔を有すると考える。
【００３８】
図５の例では、ワイヤレス通信デバイスＡ５０２は、短距離信号ＳＲ１  ５１０を送信するために短距離送信セグメント５６０を使用し、ワイヤレス通信デバイスＣ５０６は、長距離信号ＬＲ１  ５１２を送信するために長距離送信セグメント５６２を使用すると考える。
【００３９】
短距離リソースブロック５５６を監視しているワイヤレス通信デバイスＢ５０４は、信号ＳＲ１  ５１０を受信し、通信されている情報を復号することができる。長距離リソースブロック５５８を監視しているワイヤレス通信デバイスＤ５０８は、信号ＬＲ１  ５１２を受信し、通信されている情報を復号することができる。
【００４０】
短距離信号と長距離信号とが代わりに同じ送信時間間隔中で通信された場合、長距離送信機デバイスＣ５０６の近くに位置するデバイスＢ５０４のフロントエンド受信機は、同時長距離送信によって非検知または飽和状態になり、短距離信号ＳＲ１  ５１０中で通信されている情報をうまく回復することができなくなることに留意されたい。
【００４１】
図６に、様々な実施形態において使用される例示的なピアツーピア循環タイミング構造を示す。図６００に、第１の例示的なピアツーピアタイミング構造を示す。垂直軸６０２は周波数を表し、水平軸６０４は時間を表す。第１のピアツーピア循環タイミング構造は、短距離発見リソースブロック６０６と、長距離発見リソースブロック６０８と、短距離ページングリソースブロック６１０と、長距離ページングリソースブロック６１２と、他のエアリンクリソース６１４、たとえば、ピアツーピアトラフィックエアリンクリソースとを含む。長距離リソースブロック中のシンボルのシンボル持続時間は、短距離ブロック中のシンボルのシンボル持続時間よりも大きい。いくつかのそのような実施形態では、長距離リソースブロック中のトーンのトーン幅は、短距離リソースブロック中のトーンのトーン幅よりも小さい。いくつかの実施形態では、短距離発見リソースブロック中の信号の送信電力は、長距離発見リソースブロック中の信号の送信電力よりも小さい。いくつかの実施形態では、短距離ページングリソースブロック中の信号の送信電力は、長距離ページングリソースブロック中の信号の送信電力よりも小さい。
【００４２】
また、図６５０に、第２の例示的なピアツーピアタイミング構造を示す。垂直軸６５２は周波数を表し、水平軸６５４は時間を表す。第２のピアツーピア循環タイミング構造は、短距離発見リソースブロック６５６と、中距離発見リソースブロック６５８と、長距離発見リソースブロック６６０と、短距離ページングリソースブロック６６２と、中距離ページングリソースブロック６６６と、長距離ページングリソースブロック６６８と、他のエアリンクリソース６７０、たとえば、ピアツーピアトラフィックエアリンクリソースとを含む。
【００４３】
いくつかのそのような実施形態では、距離に関して、長距離は約１２００ｍであり、中距離は約１００ｍであり、短距離は約１０ｍである。中距離リソースブロック中のシンボルのシンボル持続時間は、短距離ブロック中のシンボルのシンボル持続時間よりも大きく、中距離ブロック中のシンボルのシンボル持続時間は、長距離ブロック中のシンボルのシンボル持続時間よりも小さい。いくつかのそのような実施形態では、中距離リソースブロック中のトーンのトーン幅は、短距離ブロック中のトーンのトーン幅より小さく、中距離ブロック中のトーンのトーン幅は、長距離ブロック中のトーンのトーン幅よりも大きい。いくつかの実施形態では、短距離発見リソースブロック中の信号の送信電力は、中距離発見リソースブロック中の信号の送信電力よりも小さく、中距離発見リソースブロック中の信号の送信電力は、長距離発見リソースブロック中の信号の送信電力よりも小さい。いくつかの実施形態では、短距離ページングリソースブロック中の信号の送信電力は、中距離ページングリソースブロック中の信号の送信電力よりも小さく、中距離ページングリソースブロック中の信号の送信電力は、長距離ページングリソースブロック中の信号の送信電力よりも小さい。
【００４４】
いくつかの実施形態では、タイミング構造は、各距離レベルが異なるリソースブロックを有する、３つ以上の距離レベルを含み、異なる距離に対応するリソースブロックは、時間的に重複しない。いくつかの実施形態では、異なる距離ベースリソースブロックに対応する基本伝送単位、たとえば、ＯＦＤＭトーンシンボルは、異なる特性を有する。
【００４５】
いくつかの実施形態では、ピア発見エアリンクリソースは、デバイス識別子、ユーザ識別子、グループ識別子、サイト識別子、ロケーション識別子、企業識別子、アプリケーション識別子、サービスについての要求、製品についての要求、情報についての要求、サービスのオファー、製品のオファー、情報のオファーのうちの１つまたは複数を通信するために使用される。いくつかの実施形態では、ページングエアリンクリソースは、ページング信号の一部としてデバイスおよび／またはユーザ識別子を通信するために使用される。
【００４６】
いくつかの実施形態では、トラフィックエアリンクリソースは、たとえば、ボイスデータ、テキストデータ、および／またはユーザアプリケーションデータなどのトラフィックデータを通信するために使用され得る。いくつかの実施形態では、トラフィックデータを通信するために使用される基本伝送単位、たとえば、ＯＦＤＭトーンシンボルは、通信されているトラフィックデータが、長距離通信、中距離通信、または短距離通信のいずれに対応しているかにかかわらず、同じ特性、たとえば、周波数幅および持続時間を有する。
【００４７】
図７は、いくつかの実施形態で使用される例示的な循環ピアツーピアタイミング構造の一部分を示す、周波数対時間プロット７００の図である。例示的なプロット７００は、周波数を表す垂直軸７０２と、時間を表す水平軸７０４とを含む。タイミング構造のエアリンクリソースは、短距離ピア発見リソースブロック７０６と長距離ピア発見リソースブロック７０８とを含む。短距離ピア発見ブロック７０６は、たとえば、図６の短距離ピア発見ブロック６０６であり、図７の長距離ピア発見ブロック７０８は、たとえば、図６の長距離ピア発見ブロック６０８である。短距離ピア発見リソースブロック７０６は、３２個のＯＦＤＭトーンシンボルを含む。例示的なＯＦＤＭトーンシンボル７１０などの短距離ピア発見リソースブロック７０６のＯＦＤＭトーンシンボルは、周波数幅＝ＮS７１２およびシンボル送信時間間隔＝ＴS７１４を有する。長距離ピア発見リソースブロック７０８は、３２個のＯＦＤＭトーンシンボルを含む。例示的なＯＦＤＭトーンシンボル７１６などの長距離ピア発見リソースブロック７０８のＯＦＤＭトーンシンボルは、周波数幅＝ＮL７１８およびシンボル送信時間間隔＝ＴL７２０を有する。ＴSは、ＴLよりも小さく、ＮSは、ＮLよりも大きい。いくつかの実施形態では、ＴL＝２ＴSであり、ＮS＝２ＮLである。いくつかの実施形態では、ＴL／ＴSは、２の整数倍となる。いくつかの実施形態では、ＮS／ＮLは、２の整数倍となる。
【００４８】
いくつかの実施形態では、ワイヤレス通信デバイスは、その通信ブロック中で発見信号を送信するために、発見ブロックの単一のＯＦＤＭトーンを使用する。いくつかの実施形態では、ワイヤレス端末は、通信ブロック中で発見信号を送信するために、複数のＯＦＤＭトーンの所定の固定サイズセットを使用する。
【００４９】
発見エアリンクリソースの例について図７に示しているが、同じ手法が、エアリンクリソースをページングすることに関して適用され得、時々適用される。図７で提示した手法は、たとえば、図６の図６５０に示した３レベル距離実施形態など、２つ以上の異なるタイプのピア発見ページングブロックまたは２つ以上のページングブロックをもつ実施形態に拡張され得、時々拡張される。
【００５０】
図８Ａと図８Ｂと図８Ｃと図８Ｄとの組合せからなる図８は、例示的な実施形態による、ワイヤレス通信デバイスを動作させる例示的な方法のフローチャート８００である。例示的なワイヤレス通信デバイスは、たとえば、図１のシステム１００のワイヤレス通信デバイスのうちの１つである。ステップ８０２において、動作が開始し、通信デバイスが電源投入され、初期化され、ステップ８０４と、接続ノードＥ８７２を介してステップ８７４とに進む。
【００５１】
ステップ８０４において、ワイヤレス通信が、ピア発見リソースブロックの次回のセット中で（１つまたは複数の）ピア発見信号をブロードキャストするためのものであるか否かを判断する。ワイヤレス通信デバイスが、それが（１つまたは複数の）ピア発見信号をブロードキャストするためのものであると判断した場合、動作はステップ８０４からステップ８０６に進む。しかしながら、ワイヤレス通信デバイスが、それがピア発見リソースブロックの次回のセット中でピア発見信号をブロードキャストするためのものでないと判断した場合、動作は、次のピア発見ブロードキャスト機会に対応する別の判断のために、ステップ８０４の出力からステップ８０４の入力に進む。
【００５２】
ステップ８０６に戻ると、ステップ８０６において、ワイヤレス通信デバイスは、ピア発見信号送信に使用すべき１つまたは複数のピア発見距離リソースブロックを識別する。この例では、ピアツーピアタイミング構造は、時間的に重複しない、短距離ピア発見リソースブロックと、中距離ピア発見リソースブロックと、長距離ピア発見リソースブロックとを含む。したがって、ステップ８０６において、通信デバイスは、使用すべき３つの異なるピア発見リソースブロックのうちの１つまたは複数を識別する。動作はステップ８０６からステップ８０８に進む。
【００５３】
ステップ８０８において、ワイヤレス通信デバイスは、ピア発見信号送信に使用すべき各識別されたピア発見距離リソースブロック中のセグメントを識別する。動作はステップ８０８からステップ８１０に進む。
【００５４】
ステップ８１０において、ワイヤレス通信デバイスが短距離ピア発見信号を送信するためのものであった場合、ワイヤレス通信デバイスは、ステップ８１２に進むように動作を制御する。ワイヤレス通信デバイスが短距離ピア発見信号を送信するためのものでなかった場合、動作はステップ８１０から接続ノードＡ８１８を介してステップ８２０に進む。
【００５５】
ステップ８１２に戻ると、ステップ８１２において、ワイヤレス通信デバイスは、短距離伝送ユニット特性に一致するようにその送信機を構成する。たとえば、ワイヤレス通信デバイスは、短距離ＯＦＤＭトーンシンボル特性用にその送信機を構成する。動作はステップ８１２からステップ８１４に進み、ステップ８１４において、ワイヤレス通信デバイスは短距離ピア発見信号を生成する。次いで、ステップ８１６において、ワイヤレス通信デバイスは、短距離ピア発見リソースブロックの識別された短距離ピア発見セグメントを使用して、所定の短距離ピア発見送信電力レベルで、生成された短距離ピア発見信号を送信する。動作はステップ８１６から接続ノードＡ８１８を介してステップ８２０に進む。
【００５６】
ステップ８２０において、ワイヤレス通信デバイスが中距離ピア発見信号を送信するためのものであった場合、ワイヤレス通信デバイスは、ステップ８２２に進むように動作を制御する。ワイヤレス通信デバイスが中距離ピア発見信号を送信するためのものでなかった場合、動作はステップ８２２からステップ８２８に進む。
【００５７】
ステップ８２２に戻ると、ステップ８２２において、ワイヤレス通信デバイスは、中距離伝送ユニット特性に一致するようにその送信機を構成する。たとえば、ワイヤレス通信デバイスは、中距離ＯＦＤＭトーンシンボル特性用にその送信機を構成する。動作はステップ８２２からステップ８２４に進み、ステップ８２４において、ワイヤレス通信デバイスは中距離ピア発見信号を生成する。次いで、ステップ８２６において、ワイヤレス通信デバイスは、中距離ピア発見リソースブロックの識別された中距離ピア発見セグメントを使用して、所定の中距離ピア発見送信電力レベルで、生成された中距離ピア発見信号を送信する。動作はステップ８２６からステップ８２８に進む。
【００５８】
ステップ８２８において、ワイヤレス通信デバイスが長距離ピア発見信号を送信するためのものであった場合、ワイヤレス通信デバイスは、ステップ８３０に進むように動作を制御する。ワイヤレス通信デバイスが長距離ピア発見信号を送信するためのものでなかった場合、動作はステップ８２８から接続ノードＢ８３６を介してステップ８３８に進む。
【００５９】
ステップ８３０に戻ると、ステップ８３０において、ワイヤレス通信デバイスは、長距離伝送ユニット特性に一致するようにその送信機を構成する。たとえば、ワイヤレス通信デバイスは、長距離ＯＦＤＭトーンシンボル特性用にその送信機を構成する。動作はステップ８３０からステップ８３２に進む。ステップ８３２において、ワイヤレス通信デバイスは長距離ピア発見信号を生成する。次いで、ステップ８３４において、ワイヤレス通信デバイスは、長距離ピア発見リソースブロックの識別された長距離ピア発見セグメントを使用して、所定の長距離ピア発見送信電力レベルで、生成された長距離ピア発見信号を送信する。動作はステップ８３４から接続ノードＢ８３６を介してステップ８３８へ進む。
【００６０】
ステップ８３８において、ワイヤレス通信は、ページングリソースブロックの次回のセット中で（１つまたは複数の）ページング信号を送信するためのものであるか否かを判断する。ワイヤレス通信デバイスが、それが（１つまたは複数の）ページング信号を送信するためのものであると判断した場合、動作はステップ８３８からステップ８４０に進む。しかしながら、ワイヤレス通信デバイスが、それがページングリソースブロックの次回のセット中でページング信号を送信するためのものでないと判断した場合、動作は、循環タイミング構造中の次のピア発見送信機会に対応する別の判断のために、ステップ８３８の出力から接続ノードＤ８７０を介してステップ８０４の入力に進む。
【００６１】
ステップ８４０に戻ると、ステップ８４０において、ワイヤレス通信デバイスは、ページング信号送信に使用すべき１つまたは複数のページング距離リソースブロックを識別する。この例では、ピアツーピアタイミング構造は、時間的に重複しない、短距離ページングリソースブロックと、中距離ページングリソースブロックと、長距離ページングリソースブロックとを含む。したがって、ステップ８４０において、通信デバイスは、使用すべき３つの異なるページングリソースブロックのうちの１つまたは複数を識別する。動作はステップ８４０からステップ８４２に進む。
【００６２】
ステップ８４２において、ワイヤレス通信デバイスは、ページング信号送信に使用すべき各識別されたページング距離リソースブロック中のセグメントを識別する。動作はステップ８４２からステップ８４４に進む。
【００６３】
ステップ８４４において、ワイヤレス通信デバイスが短距離ページング信号を送信するためのものであった場合、ワイヤレス通信デバイスは、ステップ８４６に進むように動作を制御する。ワイヤレス通信デバイスが短距離ページング信号を送信するためのものでなかった場合、動作はステップ８４４から接続ノードＣ８５２を介してステップ８５４に進む。
【００６４】
ステップ８４６に戻ると、ステップ８４６において、ワイヤレス通信デバイスは、短距離伝送ユニット特性に一致するようにその送信機を構成する。たとえば、ワイヤレス通信デバイスは、短距離ＯＦＤＭトーンシンボル特性用にその送信機を構成する。動作はステップ８４６からステップ８４８に進む。ステップ８４８において、ワイヤレス通信デバイスは短距離ページング信号を生成する。次いで、ステップ８５０において、ワイヤレス通信デバイスは、短距離ピアページングリソースブロックの識別された短距離ページングセグメントを使用して、所定の短距離ページング送信電力レベルで、生成された短距離ページング信号を送信する。動作はステップ８５０から接続ノードＣ８５２を介してステップ８５４に進む。
【００６５】
ステップ８５４において、ワイヤレス通信デバイスが中距離ページング信号を送信するためのものであった場合、ワイヤレス通信デバイスは、ステップ８５６に進むように動作を制御する。ワイヤレス通信デバイスが中距離ページング信号を送信するためのものでなかった場合、動作はステップ８５４からステップ８６２に進む。
【００６６】
ステップ８５６に戻ると、ステップ８５６において、ワイヤレス通信デバイスは、中距離伝送ユニット特性に一致するようにその送信機を構成する。たとえば、ワイヤレス通信デバイスは、中距離ＯＦＤＭトーンシンボル特性用にその送信機を構成する。動作はステップ８５６からステップ８５８に進む。ステップ８５８において、ワイヤレス通信デバイスは中距離ページング信号を生成する。次いで、ステップ８６０において、ワイヤレス通信デバイスは、中距離ページングリソースブロックの識別された中距離ピアページングセグメントを使用して、所定の中距離ページング送信電力レベルで、生成された中距離ページング信号を送信する。動作はステップ８６０からステップ８６２に進む。
【００６７】
ステップ８６２において、ワイヤレス通信デバイスが長距離ページング信号を送信するためのものであった場合、ワイヤレス通信デバイスは、ステップ８６４に進むように動作を制御する。ワイヤレス通信デバイスが長距離ページング信号を送信するためのものでなかった場合、動作はステップ８６２から接続ノードＤ８７０を介してステップ８０４に進む。
【００６８】
ステップ８６４に戻ると、ステップ８６４において、ワイヤレス通信デバイスは、長距離伝送ユニット特性に一致するようにその送信機を構成する。たとえば、ワイヤレス通信デバイスは、長距離ＯＦＤＭトーンシンボル特性用にその送信機を構成する。動作はステップ８６４からステップ８６６に進む。ステップ８６６において、ワイヤレス通信デバイスは長距離ページング信号を生成する。次いで、ステップ８６６において、ワイヤレス通信デバイスは、長距離ページングリソースブロックの識別された長距離ページングセグメントを使用して、所定の長距離ページング送信電力レベルで、生成された長距離ページング信号を送信する。動作はステップ８６８から接続ノードＤ８７０を介してステップ８０４へ進む。
【００６９】
ステップ８７４に戻ると、ステップ８７４において、ワイヤレス通信デバイスは、それが短距離ピア発見信号を監視するためのものであるか否かを判断する。ワイヤレス通信デバイスが、それが短距離ピア発見信号を監視するためのものであると決定した場合、動作はステップ８７４からステップ８７６に進み、そうでない場合、動作はステップ８７４からステップ８８２に進む。
【００７０】
ステップ８７６に戻ると、ステップ８７６において、ワイヤレス通信デバイスは、短距離伝送ユニット特性に一致するようにその受信機を構成する。たとえば、ワイヤレス通信デバイスは、短距離ＯＦＤＭトーンシンボル特性用にその受信機を構成する。動作はステップ８７６からステップ８７８に進む。ステップ８７８において、ワイヤレス通信デバイスは、通信デバイスがピア発見信号を送信するようにスケジュールされていない短距離発見リソースブロックのシンボル中に、他のデバイスからの短距離ピア発見信号を受信する。動作はステップ８７８からステップ８８０に進み、ワイヤレス通信デバイスは、受信した短距離ピア発見信号を復号する。動作はステップ８８０からステップ８８２に進む。
【００７１】
ステップ８８２において、ワイヤレス通信デバイスは、それが中距離ピア発見信号を監視するためのものであるか否かを判断する。ワイヤレス通信デバイスが、それが中距離ピア発見信号を監視するためのものであると決定した場合、動作はステップ８８２からステップ８８４に進み、そうでない場合、動作はステップ８８２からステップ８９０に進む。
【００７２】
ステップ８８４に戻ると、ステップ８８４において、ワイヤレス通信デバイスは、中距離伝送ユニット特性に一致するようにその受信機を構成する。たとえば、ワイヤレス通信デバイスは、中距離ＯＦＤＭトーンシンボル特性用にその受信機を構成する。動作はステップ８８４からステップ８８６に進む。ステップ８８６において、ワイヤレス通信デバイスは、通信デバイスがピア発見信号を送信するようにスケジュールされていない中距離発見リソースブロックのシンボル中に、他のデバイスから中距離ピア発見信号を受信する。動作はステップ８８６からステップ８８８に進み、ワイヤレス通信デバイスが、受信した中距離ピア発見信号を復号する。動作はステップ８８８からステップ８９０に進む。
【００７３】
ステップ８９０において、ワイヤレス通信デバイスは、それが長距離ピア発見信号を監視するためのものであるか否かを判断する。ワイヤレス通信デバイスが、それが長距離ピア発見信号を監視するためのものであると決定した場合、動作はステップ８９０からステップ８９２に進み、そうでない場合、動作はステップ８９０から接続ノードＦ８９８を介してステップ８９９に進む。
【００７４】
ステップ８９２に戻ると、ステップ８９２において、ワイヤレス通信デバイスは、長距離伝送ユニット特性に一致するようにその受信機を構成する。たとえば、ワイヤレス通信デバイスは、長距離ＯＦＤＭトーンシンボル特性用にその受信機を構成する。動作はステップ８９２からステップ８９４に進む。ステップ８９４において、ワイヤレス通信デバイスは、通信デバイスがピア発見信号を送信するようにスケジュールされていない長距離発見リソースブロックのシンボル中に、他のデバイスから長距離ピア発見信号を受信する。動作はステップ８９４からステップ８９６に進み、ワイヤレス通信デバイスが、受信した長距離ピア発見信号を復号する。動作は、ステップ８９６から接続ノードＦ８９８を介してステップ８９９に進む。
【００７５】
ステップ８９９において、ワイヤレス通信デバイスは、それが短距離ページング信号を監視するためのものであるか否かを判断する。ワイヤレス通信デバイスが、それが短距離ページング信号を監視するためのものであると決定した場合、動作はステップ８９９からステップ８９７に進み、そうでない場合、動作はステップ８９９からステップ８９１に進む。
【００７６】
ステップ８９７に戻ると、ステップ８９７において、ワイヤレス通信デバイスは、短距離伝送ユニット特性に一致するようにその受信機を構成する。たとえば、ワイヤレス通信デバイスは、短距離ＯＦＤＭトーンシンボル特性用にその受信機を構成する。動作はステップ８９７からステップ８９５に進む。ステップ８９５において、ワイヤレス通信デバイスは、通信デバイスがページング信号を送信するようにスケジュールされていない短距離ページングリソースブロックのシンボル中に、他のデバイスから短距離ページング信号を受信する。動作はステップ８９５からステップ８９３に進み、ワイヤレス通信デバイスが、受信した短距離ページング信号を復号する。動作はステップ８９３からステップ８９１に進む。
【００７７】
ステップ８９１において、ワイヤレス通信デバイスは、それが中距離ページング信号を監視するためのものであるか否かを判断する。ワイヤレス通信デバイスが、それが中距離ページング信号を監視するためのものであると決定した場合、動作はステップ８９１からステップ８８９に進み、そうでない場合、動作はステップ８９１からステップ８８３に進む。
【００７８】
ステップ８８９に戻ると、ステップ８８９において、ワイヤレス通信デバイスは、中距離伝送ユニット特性に一致するようにその受信機を構成する。たとえば、ワイヤレス通信デバイスは、中距離ＯＦＤＭトーンシンボル特性用にその受信機を構成する。動作はステップ８８９からステップ８８７に進む。ステップ８８７において、ワイヤレス通信デバイスは、通信デバイスがページング信号を送信するようにスケジュールされていない中距離ページングリソースブロックのシンボル中に、他のデバイスから中距離ページング信号を受信する。動作はステップ８８７からステップ８８５に進み、ワイヤレス通信デバイスが、受信した中距離ページング信号を復号する。動作はステップ８８５からステップ８８３に進む。
【００７９】
ステップ８８３において、ワイヤレス通信デバイスは、それが長距離ページング信号を監視するためのものであるか否かを判断する。ワイヤレス通信デバイスが、それが長距離ページング信号を監視するためのものであると決定した場合、動作はステップ８８３からステップ８８１に進み、そうでない場合、動作はステップ８８３から接続ノードＧ８７５を介してステップ８７４に進む。
【００８０】
ステップ８８１に戻ると、ステップ８８１において、ワイヤレス通信デバイスは、長距離伝送ユニット特性に一致するようにその受信機を構成する。たとえば、ワイヤレス通信デバイスは、長距離ＯＦＤＭトーンシンボル特性用にその受信機を構成する。動作はステップ８８１からステップ８７９に進む。ステップ８７９において、ワイヤレス通信デバイスは、通信デバイスがページング信号を送信するようにスケジュールされていない長距離ページングリソースブロックのシンボル中に、他のデバイスから長距離ページング信号を受信する。動作はステップ８７９からステップ８７７に進み、ワイヤレス通信デバイスが、受信した長距離ピアページング信号を復号する。動作は、ステップ８７７から接続ノードＧ８７５を介して、たとえば、循環タイミング構造中の別の反復に対応するステップ８７４まで進む。
【００８１】
いくつかの実施形態では、異なるタイプのデバイスは、少なくともいくつかの送信に関して異なる距離ベースリソースを使用する。いくつかの実施形態では、異なる適用例は、少なくともいくつかの送信に関して異なる距離ベースリソースを使用する。いくつかの実施形態では、デバイスは、バッテリー電力レベル情報に応じて、少なくともいくつかの送信のために使用すべき１つまたは複数の距離ベースリソースを判断する。いくつかの実施形態では、デバイスは、輻輳情報に応じて、少なくともいくつかの送信のために使用すべき１つまたは複数の距離ベースリソースを判断する。いくつかの実施形態では、デバイスは、２つの異なる距離ベースリソースに対応するために送信周波数が異なる２つの異なる距離ベースリソースを使用して、同じ情報、たとえば、同じ発見またはページング情報を送信し得、時々送信する。いくつかの実施形態では、デバイスは、該当する回復された発見情報に応じて、複数の代替距離ベースリソースのうち、送信のために使用すべき代替距離ベースリソースを決定する。
【００８２】
図９は、例示的な実施形態による、例示的なワイヤレス通信デバイス９００の図である。例示的なワイヤレス通信デバイス９００は、たとえば、図１のワイヤレス通信デバイスのうちの１つである。例示的なワイヤレス通信デバイス９００は、図８のフローチャート８００による方法を実装し得、時々実装する。
【００８３】
ワイヤレス通信デバイス９００は、バス９０９を介して互いに結合されたプロセッサ９０２とメモリ９０４とを含み、そのバスを介して、様々な要素（９０２、９０４）がデータおよび情報を交換し得る。通信デバイス９００は、さらに、図示のようにプロセッサ９０２に結合され得る入力モジュール９０６と出力モジュール９０８とを含む。ただし、いくつかの実施形態では、入力モジュール９０６と出力モジュール９０８とはプロセッサ９０２の内部に配置される。入力モジュール９０６は入力信号を受信することができる。入力モジュール９０６は、入力を受信するためのワイヤレス受信機および／またはワイヤードもしくは光入力インターフェースを含み得、いくつかの実施形態では、それらを含む。出力モジュール９０８は、出力を送信するためのワイヤレス送信機および／またはワイヤードもしくは光出力インターフェースを含み得、いくつかの実施形態では、それらを含む。
【００８４】
図１０Ａの第１の部分１００１と、図１０Ｂの第２の部分１００２と、図１０Ｃの第３の部分１００３および図１０Ｄの第４の部分１００４との組合せを備える図１０は、図９に示す通信デバイス９００中で使用され得、いくつかの実施形態では、通信デバイス９００中で使用されるモジュールのアセンブリ１０００の図である。アセンブリ１０００中のモジュールは、たとえば、個別回路として、図９のプロセッサ９０２内のハードウェアで実装され得る。代替的に、それらのモジュールは、ソフトウェアで実装され、図９に示す通信デバイス９００のメモリ９０４に記憶され得る。単一のプロセッサ、たとえば、コンピュータとして図９の実施形態に示しているが、プロセッサ９０２は、１つまたは複数のプロセッサ、たとえば、コンピュータとして実装され得ることを諒解されたい。ソフトウェアで実装されるとき、それらのモジュールはコードを含み、そのコードは、プロセッサによって実行されたとき、プロセッサ９０２、たとえば、コンピュータを、そのモジュールに対応する機能を実装するように構成する。いくつかの実施形態では、プロセッサ９０２は、モジュールのアセンブリ１０００のモジュールの各々を実装するように構成される。モジュールのアセンブリ１０００がメモリ９０４に記憶される実施形態では、メモリ９０４は、コンピュータ可読媒体を備えるコンピュータプログラム製品であり、コンピュータ可読媒体は、少なくとも１つのコンピュータ、たとえば、プロセッサ９０２に、モジュールが対応する機能を実装させるためのコード、たとえば、モジュールごとの個別コードを備える。
【００８５】
完全にハードウェアベースのまたは完全にソフトウェアベースのモジュールが使用され得る。ただし、機能を実装するために、（たとえば、回路実装型の）ソフトウェアモジュールとハードウェアモジュールとの任意の組合せが使用され得ることを諒解されたい。図１０に示すモジュールは、通信デバイス９００またはプロセッサ９０２などのそのデバイス中の要素を、図８のフローチャート８００の方法に示す対応するステップの機能を実行するように制御および／または構成することを諒解されたい。
【００８６】
図１０のモジュールのアセンブリ１０００では、番号の後に’が続くモジュールは、図８のフローチャート８００における対応するステップとして同じまたは同様の機能に対応する。図１０のモジュールのアセンブリ１０００では、モジュール（８０４’、８０６’、８０８’、８１０’、８１２’、８１４’、８１６’、８２０’、８２２’、８２６’、８２８’、８３０’、８３２’、８３４’、８３８’、８４０’、８４４’、８４６’、８４８’、８５０’、８５４’、８５６’、８５８’、８６０’、８６２’、８６４’、８６６’、８６８’、８７４’、８７６’、８７８’、８８０’、８８２’、８８４’、８８６’、８８８’、８９０’、８９２’、８９４’、８９６’、８９９’、８９７’、８９５’、８９３’、８９１’、８８９’、８８７’、８８５’、８８３’、８８１’、８７９’、８７７’）は、それぞれ図８のフローチャート８００のステップ（８０４、８０６、８０８、８１０、８１２、８１４、８１６、８２０、８２２、８２６、８２８、８３０、８３２、８３４、８３８、８４０、８４４、８４６、８４８、８５０、８５４、８５６、８５８、８６０、８６２、８６４、８６６、８６８、８７４、８７６、８７８、８８０、８８２、８８４、８８６、８８８、８９０、８９２、８９４、８９６、８９９、８９７、８９５、８９３、８９１、８８９、８８７、８８５、８８３、８８１、８７９、８７７）に対応する。たとえば、図１０のモジュールのアセンブリ１０００のモジュール８０６’は、図８のフローチャート８００のステップ８０６の機能に対応し、その機能を実行する。モジュール８０６’は、発見信号送信のために使用すべき１つまたは複数のピア発見距離リソースブロックを識別するためのモジュールである。ステップ８０６において、通信デバイスは、ピア発見信号送信のために使用すべき１つまたは複数のピア発見距離リソースブロックを識別する。
【００８７】
モジュールのアセンブリ１０００は、ピアツーピアタイミング構造情報１００６と所定の送信電力レベル情報１００８とをも含む。ピアツーピアタイミング構造情報は、たとえば、短距離ピア発見リソースブロックと、中距離ピア発見リソースブロックと、長距離ピア発見リソースブロックと、短距離ページングリソースブロックと、中距離ページングリソースブロックと、長距離ページングリソースブロックとに対応する情報を含む。ピアツーピアタイミング構造情報１００６は、異なるタイプのブロックの各々中のセグメントに対応する情報と、異なるタイプのブロックの各々についての基本伝送単位、たとえば、ＯＦＤＭトーンシンボルに対応する情報とをさらに含む。いくつかの実施形態では、短距離ブロックの基本伝送単位、たとえば、ＯＦＤＭトーンシンボルは、より広いトーンを有するが、中距離ブロック基本伝送単位に比較してより短いシンボル送信時間を有する。いくつかの実施形態では、中距離ブロックの基本伝送単位、たとえば、ＯＦＤＭトーンシンボルは、より広いトーンを有するが、長距離ブロックの基本伝送単位に比較してより短いシンボル送信時間を有する。所定の送信電力レベル情報１００８は、短距離ピア発見信号と、中距離ピア発見信号と、長距離ピア発見信号と、短距離ページング信号と、中距離ページング信号と、長距離ページング信号とについての送信電力レベルを識別する情報、それらを定義する情報、および／またはそれらを判断するために使用される情報を含む。
【００８８】
図８〜図１０では、ピア発見信号およびページング信号について異なる距離ベースリソースブロックを含む実施形態について説明した。いくつかの実施形態は、ピア発見およびページングのうちの１つのために異なる距離ベースリソースブロックを使用する。いくつかの実施形態では、ピアツーピアネットワークにおいて使用される別のタイプの信号、たとえば、閉ループ電力制御なしに送信される別のタイプの信号に、ピア発見に関して説明した方法と同様の方法で複数の重複しないリソースブロックが割り振られ、その実装をサポートする方法および装置が含まれる。本発明の様々な態様は、ピアツーピアワイヤレスネットワークにおいて異なる物理的距離にわたる通信を実行する方法に関する。
【００８９】
いくつかの実施形態の様々な態様、特徴、および／または利点について説明する。いくつかのワイヤレスネットワークでは、異なるピアが、異なる距離にわたって通信することを望むことがある。たとえば、ボイス呼は、オフィス内のラップトップからプリンタへのデータ転送よりも長い距離にわたって行われ得る。通信はピアツーピアネットワークを介して行われるものであると考える。いくつかのピアツーピアネットワークでは、発見され、通信を開始するために、ピアは、ピアツーピアトラフィック信号を通信するより前に、ピア発見信号およびページング信号を送信および受信する。長距離通信と短距離通信の両方が同じ時間フレームにわたって行われるものであり、ユーザの地理的展開が高密度である場合、相互発見およびページングを実行することができるシステム中のユーザ数を制限する影響には以下の２つがある。
【００９０】
１）短距離通信を受信することを望むピアのフロントエンド受信機は、長距離送信によって非検知または飽和状態になり得、時々非検知または飽和状態になる。
【００９１】
２）いくつかの実施形態では、ピアは、それが十分に低い干渉電力を検出するリソースユニットを識別することができる場合のみ、送信することになるので、短距離リンクは、送信リソースユニットのための長距離リンクと競合することになる。
【００９２】
いくつかの実施形態では、長距離ピアおよび短距離ピアのピア発見信号およびページング信号は、所望の距離にわたる通信をサポートするために一緒に最適化される。
【００９３】
一実施形態では、ピア発見リソースおよびページングリソースは、２つの時間フレームにセグメント化される。以下の説明は、同様の方法がページングリソースまたは他の通信リソースに適用され得、時々適用されるという理解の下で、発見リソースに焦点を合わせている。第１および第２の時間フレームは、それぞれ、各リソースユニットが少なくとも１つのトーン（サブキャリア）と少なくとも１つの時間シンボルとを備える、複数のリソースユニットを含み得る。各ピア発見信号は、その場合、少なくとも１つのリソースユニットを占有することになる。
【００９４】
この例を続けると、長距離、たとえば１２００ｍにわたって発見されることを望むピアは、第１の時間フレーム中でそれらのピア発見信号を送信し、短距離、たとえば１００ｍにわたって発見されることを望むピアは、第２の時間フレーム中でそれらのピア発見信号を送信し、この２つの時間フレームは、時間的に重複しない。このようにして、長距離送信は、近傍のピアを発見することを望むピアの受信機フロントエンドを感知しなくなり、短距離送信は、ピア発見リソースユニットのために長距離送信と競合しなくなる。
【００９５】
一実施形態では、第１のセグメント中の時間シンボルの持続時間は、第２のセグメント中でよりも長くなり得る。たとえば、第１のセグメント中のシンボルは、６４ポイントＦＦＴを使用して生成され得、第２のセグメント中のシンボルは、３２ポイントＦＦＴを使用して生成され得、両方のタイプのシンボルは、２４チップ巡回プレフィックスを使用する。このようにして、両方の短距離ピアのピア発見信号は、同じ送信電力ではあるが、（より短い送信時間により）より少ない送信エネルギーで送信されることになり、したがって、バッテリー寿命を節約する。各リソースユニットが１つのトーンと１つのタイムスロットとをカバーすると仮定すると、長距離ピア発見のための３５８４個のリソースユニットと短距離ピア発見のための８９６個のリソースユニットとの合計について、第１および第２のフレーム中で利用可能なトーンの典型的な数は、それぞれ５６個および２８個とすることができ、タイムスロットの典型的な数は６４個とすることができる。第２の時間フレーム中でより少数のトーンを使用することの結果として、短距離ピア自体のうちで非検知となる確率が低くなる。いくつかの実施形態では、短距離シンボルのための巡回プレフィックスは、長距離シンボルのための巡回プレフィックスよりも短い。
【００９６】
別の実施形態では、短距離信号の実際の送信電力は、長距離信号の送信電力よりも小さく、したがって、電力を節約し、ピア発見リソースの空間再使用を増加させる。より少数のユーザが所与の距離において互いに干渉するようになるので、空間リソースのこの節約は、短距離ユーザについて時間フレームのより短い持続時間とより少数のリソースユニットとを可能にすることができる。
【００９７】
別の実施形態では、全体的なピア発見リソースは、長距離ユーザ（約１２００ｍのＷＡＮ距離）のための時間フレームと、中距離ユーザ（約１００ｍのＬＡＮ距離）のための時間フレームと、短距離ユーザ（約１０ｍのＰＡＮ距離）のための時間フレームとの３つの時間フレームに分割され得る。３つの時間フレームは、時間的に重複しない。中距離ユーザのシンボル持続時間は、短距離ユーザのそれよりも大きく、長距離ユーザのそれよりも小さくなり得る。いくつかの実施形態では、短距離シンボルのための巡回プレフィックスは、中距離シンボルのための巡回プレフィックスよりも短く、中距離シンボルのための巡回プレフィックスは、長距離シンボルのための巡回プレフィックスよりも短くなる。
【００９８】
様々な実施形態の技法は、ソフトウェア、ハードウェア、および／またはソフトウェアとハードウェアの組合せを使用して実装することができる。いくつかの実施形態では、モジュールは、物理モジュールとして実装される。いくつかのそのような実施形態では、個々の物理モジュールは、ハードウェアで、たとえば回路として実装されるか、またはいくつかのソフトウェアをもつハードウェア、たとえば、回路を含む。他の実施形態では、モジュールは、メモリに記憶され、プロセッサ、たとえば、汎用コンピュータによって実行されるソフトウェアモジュールとして実装される。様々な実施形態は、装置、たとえば、固定ワイヤレスノード、セルフォンは一例にすぎないモバイルアクセス端末などのモバイルノード、１つまたは複数の接続点を含む基地局などのアクセスポイント、サーバ、および／または通信システムを対象とする。様々な実施形態はまた、方法、たとえば、モバイルノードおよび／または固定ノードを含むワイヤレス通信デバイス、基地局などのアクセスポイント、サーバノード、および／または通信システム、たとえば、ホストを制御および／または動作させる方法を対象とする。様々な実施形態はまた、方法の１つまたは複数のステップを実施するように機械を制御するための機械可読命令を含む、機械、たとえば、コンピュータ、可読媒体、たとえば、ＲＯＭ、ＲＡＭ、ＣＤ、ハードディスクなどを対象とする。
【００９９】
開示したプロセスにおけるステップの特定の順序または階層は、例示的な手法の一例であることを理解されたい。設計の選好に基づいて、プロセス中のステップの特定の順序または階層は本開示の範囲内のまま再構成できることを理解されたい。添付の方法クレームは、様々なステップの要素を例示的な順序で提示したものであり、提示された特定の順序または階層に限定されるものではない。
【０１００】
様々な実施形態では、本明細書で説明するノードは、たとえば、短距離通信に専用の第１の時間間隔中に第１の通信リソースを使用すること、長距離通信に専用の第２の時間間隔中に第２の通信リソースを使用すること（第１および第２の時間間隔は重複しない時間間隔である）など、１つまたは複数の方法に対応するステップを実行するための１つまたは複数のモジュールを使用して実装される。
【０１０１】
したがって、いくつかの実施形態では、様々な特徴はモジュールを使用して実装される。そのようなモジュールは、ソフトウェア、ハードウェアまたはソフトウェアとハードウェアの組合せを使用して実装され得る。上記の方法または方法ステップの多くは、たとえば１つまたは複数のノードにおいて、上記の方法の全部または一部を実施するために、機械、たとえば、追加のハードウェアを有するかあるいは有しない汎用コンピュータを制御するメモリデバイス、たとえば、ＲＡＭ、フロッピー（登録商標）ディスクなどの機械可読媒体中に含まれる、ソフトウェアなどの機械実行可能命令を使用して実施され得る。したがって、特に、様々な実施形態は、機械、たとえば、プロセッサおよび関連するハードウェアに、上述の（１つまたは複数の）方法のステップのうちの１つまたは複数を実行させるための機械実行可能命令を含む機械可読媒体を対象とする。いくつかの実施形態は、本発明の１つまたは複数の方法のステップのうちの１つ、複数、またはすべてを実施するように構成されたプロセッサを含むデバイス、たとえば、通信デバイスを対象とする。
【０１０２】
いくつかの実施形態は、１つのコンピュータまたは複数のコンピュータに、様々な機能、ステップ、行為、および／または動作、たとえば、上述の１つまたは複数のステップを実施させるためのコードを備えるコンピュータ可読媒体を備えるコンピュータプログラム製品を対象とする。実施形態に応じて、コンピュータプログラム製品は、実行すべきステップごとに異なるコードを含むことができ、時々含む。したがって、コンピュータプログラム製品は、方法、たとえば、通信デバイスまたはノードを制御する方法の個々のステップごとのコードを含み得、時々含む。コードは、ＲＡＭ（ランダムアクセスメモリ）、ＲＯＭ（読取り専用メモリ）、他のタイプの記憶デバイスなどのコンピュータ可読媒体上に記憶される、機械、たとえば、コンピュータ実行可能命令の形態であり得る。コンピュータプログラム製品を対象とすることに加えて、いくつかの実施形態は、上述の１つまたは複数の方法の様々な機能、ステップ、行為、および／または動作のうちの１つまたは複数を実施するように構成されるプロセッサを対象とする。したがって、いくつかの実施形態は、本明細書で説明する方法のステップの一部または全部を実施するように構成されたプロセッサ、たとえばＣＰＵを対象とする。プロセッサは、たとえば、本出願で説明する通信デバイスまたは他のデバイス中で使用され得る。
【０１０３】
いくつかの実施形態では、１つまたは複数のデバイス、たとえば、ワイヤレス端末などの通信デバイスの１つまたは複数のプロセッサ、たとえば、ＣＰＵは、通信デバイスによって実行されるものとして説明した方法のステップを実行するように構成される。したがって、すべてではないが、いくつかの実施形態は、プロセッサが含まれるデバイスによって実行される様々な記載の方法のステップの各々に対応するモジュールを含むプロセッサをもつデバイス、たとえば、通信デバイスを対象とする。すべてではないが、いくつかの実施形態では、デバイス、たとえば、通信デバイスは、プロセッサが含まれるデバイスによって実行される様々な記載の方法のステップの各々に対応するモジュールを含む。モジュールは、ソフトウェアおよび／またはハードウェアを使用して実装され得る。
【０１０４】
ＯＦＤＭシステムに関して様々な特徴について説明したが、様々な実施形態の方法および装置のうちの少なくともいくつかは、多くの非ＯＦＤＭおよび／または非セルラーシステムを含む広範囲の通信システムに適用可能である。
【０１０５】
上記の説明に鑑みて、上述の様々な実施形態の方法および装置に関する多数の追加の変形形態が当業者には明らかであろう。そのような変形形態は範囲内に入ると考えるべきである。本方法および本装置は、ＣＤＭＡ、直交周波数分割多重（ＯＦＤＭ）、ＧＳＭ（登録商標）、および／またはアクセスポイントとモバイルノード、ワイヤレス通信などのワイヤレス通信デバイスとの間のワイヤレス通信リンク、たとえば、ＷＡＮワイヤレス通信リンクを与えるために使用される様々な他のタイプの通信技法とともに使用され得、様々な実施形態において使用される。本方法および本装置は、ＣＤＭＡ、直交周波数分割多重（ＯＦＤＭ）、ＧＳＭ、および／またはピアツーピアインターフェースを含むワイヤレス通信デバイス間のワイヤレス通信リンク、たとえば、直接ピアツーピアワイヤレス通信リンクを与えるために使用される様々な他のタイプの通信技法とともに使用され得、様々な実施形態において使用される。いくつかの実施形態では、ワイドエリアネットワークインターフェースとピアツーピアネットワークインターフェースの両方を含むワイヤレス通信デバイスは、異なるインターフェースに対して異なる通信技法、たとえば、ＷＡＮインターフェースに対してＣＤＭＡおよびＧＳＭベースの技法、ピアツーピアインターフェースに対してＯＦＤＭベースの技法を使用する。いくつかの実施形態では、アクセスポイントは、ＣＤＭＡ、ＧＳＭ、および／またはＯＦＤＭを使用してモバイルノードとの通信リンクを確立する基地局として実装される。様々な実施形態では、モバイルノードは、本方法を実施するための、受信機／送信機回路ならびに論理および／またはルーチンを含む、ノートブックコンピュータ、個人情報端末（ＰＤＡ）、または他のポータブルデバイスとして実装される。
以下に、本願出願の当初の特許請求の範囲に記載された発明を付記する。
［Ｃ１］
短距離通信に専用の第１の時間間隔中に第１の通信リソースを使用することと、
長距離通信に専用の第２の時間間隔中に第２の通信リソースを使用することであって、前記第１および第２の時間間隔が重複しない時間間隔である、使用することと
を備える、通信方法。
［Ｃ２］
前記第１および第２の通信リソースが持続時間において異なる、請求項１に記載の通信方法。
［Ｃ３］
前記第１の通信リソースが第１のトーンシンボルであり、前記第２の通信リソースが第２のトーンシンボルである、請求項２に記載の通信方法。
［Ｃ４］
前記第１のトーンシンボルが、前記第２のトーンシンボルの第２のシンボル時間よりも短い第１のシンボル時間を有する、請求項３に記載の通信方法。
［Ｃ５］
前記第１および第２の通信リソースが、それぞれ第１および第２のトーンシンボルであり、
周波数における前記第１および第２のトーンシンボルの幅が異なる
請求項１に記載の通信方法。
［Ｃ６］
前記第１のトーンシンボルが、周波数において前記第２のトーンシンボルよりも広い、請求項５に記載の通信方法。
［Ｃ７］
第１の通信リソースを使用することが、前記第１の通信リソース上で信号を送信することと受信することとのうちの少なくとも１つを含み、
第２の通信リソースを使用することが、前記第２の通信リソース上で信号を送信することと受信することとのうちの少なくとも１つを含む
請求項１に記載の方法。
［Ｃ８］
短距離通信に専用の第１の時間間隔中に第１の通信リソースを使用するための手段と、
長距離通信に専用の第２の時間間隔中に第２の通信リソースを使用するための手段であって、前記第１および第２の時間間隔が重複しない時間間隔である、使用するための手段と
を備える、通信デバイス。
［Ｃ９］
前記第１および第２の通信リソースが持続時間において異なる、請求項８に記載の通信デバイス。
［Ｃ１０］
前記第１の通信リソースが第１のトーンシンボルであり、前記第２の通信リソースが第２のトーンシンボルである、請求項９に記載の通信デバイス。
［Ｃ１１］
前記第１のトーンシンボルが、前記第２のトーンシンボルの第２のシンボル時間よりも短い第１のシンボル時間を有する、請求項１０に記載の通信デバイス。
［Ｃ１２］
前記第１および第２の通信リソースが、それぞれ第１および第２のトーンシンボルであり、
周波数における前記第１および第２のトーンシンボルの幅が異なる
請求項８に記載の通信デバイス。
［Ｃ１３］
前記第１のトーンシンボルが、周波数において前記第２のトーンシンボルよりも広い、請求項１２に記載の通信デバイス。
［Ｃ１４］
第１の通信リソースを使用するための前記手段が、前記第１の通信リソース上で信号を送信するための手段と、前記第１の通信リソース上で信号を受信するための手段とのうちの少なくとも１つを含み、
第２の通信リソースを使用するための前記手段が、前記第２の通信リソース上で信号を送信するための手段と、前記第２の通信リソース上で信号を受信するための手段とのうちの少なくとも１つを含む
請求項８に記載の通信デバイス。
［Ｃ１５］
通信デバイスにおいて使用するためのコンピュータプログラム製品であって、
少なくとも１つのコンピュータに、短距離通信に専用の第１の時間間隔中に第１の通信リソースを使用させるためのコードと、
前記少なくとも１つのコンピュータに、長距離通信に専用の第２の時間間隔中に第２の通信リソースを使用させるためのコードであって、前記第１および第２の時間間隔が重複しない時間間隔である、使用させるためのコードと
を備えるコンピュータ可読媒体
を備えるコンピュータプログラム製品。
［Ｃ１６］
少なくとも１つのプロセッサであって、
短距離通信に専用の第１の時間間隔中に第１の通信リソースを使用することと、
長距離通信に専用の第２の時間間隔中に第２の通信リソースを使用することであって、前記第１および第２の時間間隔が重複しない時間間隔である、使用することと
を行うように構成された少なくとも１つのプロセッサと、
前記少なくとも１つのプロセッサに結合されたメモリと
を備える通信デバイス。
［Ｃ１７］
前記第１および第２の通信リソースが持続時間において異なる、請求項１６に記載の通信デバイス。
［Ｃ１８］
前記第１の通信リソースが第１のトーンシンボルであり、前記第２の通信リソースが第２のトーンシンボルである、請求項１７に記載の通信デバイス。
［Ｃ１９］
前記第１のトーンシンボルが、前記第２のトーンシンボルの第２のシンボル時間よりも短い第１のシンボル時間を有する、請求項１８に記載の通信デバイス。
［Ｃ２０］
前記第１および第２の通信リソースが、それぞれ第１および第２のトーンシンボルであり、
周波数における前記第１および第２のトーンシンボルの幅が異なる
請求項１６に記載の通信デバイス。
【図１】
0005519004.tif 000002
【図２】
0005519004.tif 000003
【図３】
0005519004.tif 000004
【図４】
0005519004.tif 000005
【図５】
0005519004.tif 000006
【図６】
0005519004.tif 000007
【図７】
0005519004.tif 000008
【図８】
0005519004.tif 000009
【図８Ａ】
0005519004.tif 000010
【図８Ｂ】
0005519004.tif 000011
【図８Ｃ】
0005519004.tif 000012
【図８Ｄ】
0005519004.tif 000013
【図９】
0005519004.tif 000014
【図１０】
0005519004.tif 000015
【図１０Ａ】
0005519004.tif 000016
【図１０Ｂ】
0005519004.tif 000017
【図１０Ｃ】
0005519004.tif 000018
【図１０Ｄ】
0005519004.tif 000019